(57)【要約】【課題】食品機械用転がり軸受などの潤滑剤として利用でき、人体に対する安全性が高く、耐熱性に優れ、長い軸受寿命を実現できるグリースまたは固形潤滑剤、および、これらを封入した食品機械用転がり軸受を提供する。【解決手段】転がり軸受１は、内輪２と外輪３とが同心に配置され、内外輪間に複数個の転動体４が配置され、転動体４の周囲にグリース７が封入されており、このグリース７は、ヤシ油を主成分として含む基油と、ステアリン酸を主成分として含む増ちょう剤とを含有するグリースであり、特に上記基油がヤシ油のみからなり、かつ、上記増ちょう剤がステアリン酸のみからなる。【選択図】図１
2018177921.tif 000002
【特許請求の範囲】
【請求項１】
グリースまたは固形潤滑剤である食品機械用潤滑剤であって、
前記グリースは、ヤシ油を主成分とする基油と、ステアリン酸を主成分とする増ちょう剤とを含有するグリースであり、
前記固形潤滑剤は、前記グリースを潤滑成分として含み固形化された潤滑剤であることを特徴とする食品機械用潤滑剤。
【請求項２】
前記基油が、前記ヤシ油のみからなることを特徴とする請求項１記載の食品機械用潤滑剤。
【請求項３】
前記増ちょう剤が、前記ステアリン酸のみからなることを特徴とする請求項１または請求項２記載の食品機械用潤滑剤。
【請求項４】
前記グリースが、前記基油と前記増ちょう剤のみからなることを特徴とする請求項１から請求項３までのいずれか１項記載の食品機械用潤滑剤。
【請求項５】
前記グリースにおける前記ステアリン酸の含有量は、前記グリース全体量に対し１５〜３０質量％であることを特徴とする請求項１から請求項４までのいずれか１項記載の食品機械用潤滑剤。
【請求項６】
請求項１記載の食品機械用潤滑剤が封入されていることを特徴とする食品機械用転がり軸受。
【発明の詳細な説明】
【技術分野】
【０００１】
本発明は、食品機械に用いられる潤滑剤に関し、特に食品機械用転がり軸受に封入される潤滑剤（グリースまたは固形潤滑剤）に関する。また、この潤滑剤を封入した食品機械用転がり軸受に関する。
【背景技術】
【０００２】
近年の産地偽装問題、異物混入事件などを受け、消費者の食への安全・安心に対する意識が高まっている。このことから食品業界でも、更なる管理体制の強化や品質強化を余儀なくされている。また、製造者の監査や調査についても重点が置かれ、製造工程中の潤滑油の使用・管理が監査項目になっている。食品メーカーでは、ＨＡＣＣＰなどこれらの安全管理システムで製造管理に取り組んでいる。ＨＡＣＣＰとは、食品の安全確保を図る製造方法としての衛生管理システムの国際基準である。ＨＡＣＣＰの潤滑剤における考え方は、（１）潤滑剤を使用しない、（２）潤滑剤が漏れない、触れない対策、（３）偶発的接触が許容される潤滑剤の使用、であるが、（１）（２）は非現実的であることから、（３）を満たす潤滑剤が必要とされている。
【０００３】
日本には食品機械用潤滑剤法規制自体がなく、米国のＮＳＦ Ｉｎｔｅｒｎａｌの規格が主に用いられている。ＮＳＦの規格を要約すると、［Ｈ１］：食品との偶発的な接触が許諾される、［Ｈ２］：食品と接触する可能性ない箇所で使用が許諾される、［Ｈ３］：食肉などを吊るすフックやレールに引っ掛けるトロリーに塗布する防錆用オイル、［３Ｈ］：食品との直接接触が許諾される、という内容である。国内での登録件数はＨ１が最も多く、ＨＡＣＣＰ対策用潤滑剤としても挙げられる。３Ｈの登録件数は多いが、半固体状のグリース状態ではなく、液体に近いものがほとんどである。
【０００４】
食品機械は、食品原料や食用製品（または半製品）を混合、混練、加熱、乾燥、冷却、充填、包装、貯蔵などする際に用いられる機械類である。食品機械には他の機械類と同様に軸受その他の摺動部品が装着されている。食品機械では、上記のような各種安全規格に従って、各部品から人体に有毒な成分が流出し食品を汚染する事態を防止すべく、各部品を構成する樹脂、金属、潤滑剤などの各種材料について選定が行われている。しかし、潤滑剤のグリースについては、上述のとおり対応品が十分なく、３Ｈ対応の食品機械用のグリースの開発が望まれている。
【０００５】
従来、食品機械用のグリース組成物として、食用油を基油とし、ステアリン酸カルシウムを増ちょう剤とし、添加剤としてステアリン酸カルシウムの構造を安定化する構造安定剤を含むグリース組成物が知られている（特許文献１参照）。
【先行技術文献】
【特許文献】
【０００６】
【特許文献１】国際公開第２０１４／２０００４８号
【発明の概要】
【発明が解決しようとする課題】
【０００７】
特許文献１のグリース組成物は、食用油として植物油などを利用しているが、植物油には不飽和脂肪酸を多く含むものがある。このような植物油は酸化劣化しやすいため、基油の選択によっては高温下で潤滑性が不足し、十分な軸受寿命が得られないおそれがある。また、増ちょう剤としてステアリン酸カルシウムを用いているが、基油との組み合わせ次第では、十分な軸受寿命が得られないおそれがある。
【０００８】
本発明はこのような問題に対処するためになされたものであり、食品機械用転がり軸受などの潤滑剤として利用でき、人体に対する安全性が高く、耐熱性に優れ、長い軸受寿命を実現できるグリースまたは固形潤滑剤、および、これらを封入した食品機械用転がり軸受の提供を目的とする。
【課題を解決するための手段】
【０００９】
本発明の食品機械用潤滑剤は、グリースまたは固形潤滑剤であり、上記グリースは、ヤシ油を主成分とする基油と、ステアリン酸を主成分とする増ちょう剤とを含有するグリースであり、上記固形潤滑剤は、上記グリースを潤滑成分として含み固形化された潤滑剤であることを特徴とする。
【００１０】
上記基油が、上記ヤシ油のみからなることを特徴とする。また、上記増ちょう剤が、上記ステアリン酸のみからなることを特徴とする。また、上記グリースが、上記基油と上記増ちょう剤のみからなることを特徴とする。
【００１１】
上記グリースにおける上記ステアリン酸の含有量は、上記グリース全体量に対し１５〜３０質量％であることを特徴とする。
【００１２】
本発明の食品機械用転がり軸受は、本発明の食品機械用潤滑剤が封入されていることを特徴とする。
【発明の効果】
【００１３】
本発明の食品機械用潤滑剤は、グリースとしては、基油にヤシ油を、増ちょう剤にステアリン酸を用いるので、いずれも米国ＦＤＡにより食品添加を許容された安全物質であり、環境負荷が少なく、人体に対する安全性が高い。ヤシ油の使用により、基油における飽和脂肪酸の含有割合が多く、酸化安定性が高く、熱安定性が高い。さらに、この基油に増ちょう剤としてステアリン酸を組み合わせることで、耐熱性に優れ、長い軸受寿命を実現できる。また、固形潤滑剤として利用する場合も、このグリースを潤滑成分として用いるため、同等の効果が得られる。
【００１４】
本発明の食品機械用転がり軸受は、上記潤滑剤が封入されてなるので、環境負荷を抑えて各種安全規格への対応が可能となり、かつ、軸受寿命にも優れる。このため、食品原料や食用製品を混合、混練、加熱、乾燥、冷却、充填、包装、貯蔵などする際に用いられる食品機械用の軸受として好適に利用できる。
【図面の簡単な説明】
【００１５】
【図１】本発明の食品機械用転がり軸受の一例を示す断面図である。
【図２】本発明の食品機械用転がり軸受の他の例を示す断面図である。
【図３】本発明の食品機械用転がり軸受の他の例を示す断面図である。
【図４】熱分析試験の結果を示す図である。
【発明を実施するための形態】
【００１６】
本発明の食品機械用潤滑剤は、グリースまたは固形潤滑剤であり、食品機械で用いられることを用途とする。
【００１７】
本発明の食品機械用潤滑剤であるグリースは、ヤシ油を含む基油と、ステアリン酸を含む増ちょう剤とから構成される。ヤシ油は、ココヤシ果実の胚乳を乾燥したものを原料とし、圧搾、溶剤抽出、精製を得て製造される。ヤシ油はココナッツオイルともいう。また、ステアリン酸は、飽和脂肪酸（高級脂肪酸）であり、常温で低融点の固体である。
【００１８】
上記基油は、ヤシ油のみからなるか、または、ヤシ油と他の油との混合油である。ヤシ油と混合する油としては、植物油が好ましく、例えば、パーム油、菜種油、とうもろこし油、つばき油、オリーブ油、落花生油、ヒマシ油などが挙げられる。この基油ではヤシ油を主成分として含むので、ヤシ油の含有量は、基油（混合油）全体に対して５０質量％以上であり、好ましくは８０質量％以上である。特に、他の植物油などはヤシ油よりも酸化安定性に劣ることから、ヤシ油のみからなる基油（ヤシ油１００％）とすることが好ましい。
【００１９】
上記基油における飽和脂肪酸の量は、該基油全体に対して９０質量％以上が好ましい。飽和脂肪酸の含有量が多い油は、酸化安定性に優れるからである。基油をヤシ油１００％とする場合は、概ね飽和脂肪酸の量を９０質量％以上とできる。
【００２０】
上記基油に使用するヤシ油としては、Ｃ６飽和脂肪酸、Ｃ８飽和脂肪酸、Ｃ１０飽和脂肪酸、Ｃ１２飽和脂肪酸、Ｃ１４飽和脂肪酸、Ｃ１６飽和脂肪酸、Ｃ１８飽和脂肪酸、Ｃ２０飽和脂肪酸を全て含むものが特に好ましい。ここでＣＮ飽和脂肪酸は、炭素数がＮの飽和脂肪酸を指す。また、熱分解温度は２３０℃以上が好ましく、２４０℃以上がより好ましい。
【００２１】
上記増ちょう剤は、ステアリン酸のみからなる場合と、ステアリン酸に加えて他の物質を含む場合とがある。他の物質としては、ステアリン酸亜鉛、カルシウム強化剤、ステアリン酸カルシウムなどが挙げられる。カルシウム強化剤としては、クエン酸カルシウムなどが挙げられる。この増ちょう剤ではステアリン酸を主成分として含むので、ステアリン酸の含有量は、増ちょう剤全体に対して５０質量％以上であり、好ましくは８０質量％以上である。特にステアリン酸のみからなる増ちょう剤とすることが好ましい。
【００２２】
本発明におけるグリースは、基油と増ちょう剤のみからなる場合と、これらに加えて更に添加剤を含む場合とがある。配合できる添加剤としては、本発明の効果を損なわないものであればよく、例えば、酸化防止剤、錆止め剤、極圧剤、摩耗調整剤、ｐＨ調整剤などを挙げることができる。
【００２３】
本発明におけるグリースの好ましい構成としては、例えば、（１）ヤシ油と他の植物油との混合油である基油と、ステアリン酸亜鉛、カルシウム強化剤、ステアリン酸カルシウムのうちの少なくとも一つとステアリン酸からなる増ちょう剤の場合、（２）ヤシ油のみからなる基油と、ステアリン酸亜鉛、カルシウム強化剤、ステアリン酸カルシウムのうちの少なくとも一つとステアリン酸からなる増ちょう剤の場合、（３）ヤシ油と他の植物油との混合油である基油と、ステアリン酸のみからなる増ちょう剤の場合、（４）ヤシ油のみからなる基油と、ステアリン酸のみからなる増ちょう剤の場合、が挙げられる。このうち、（４）の場合が特に好ましい。また、上記の構成（１）〜（４）それぞれに、上述の本発明の効果を損なわない範囲の添加剤を加えたものも好ましい構成として挙げられる。
【００２４】
上記グリースにおける増ちょう剤の含有量は、グリース全体量に対し５〜５０質量％であることが好ましい。５質量％未満であると、グリースが軟らかく、漏洩することがあり、十分な潤滑寿命を得られないおそれがある。一方、５０質量％をこえると、相対的に基油量が少なくなり、潤滑寿命が短くなるおそれがある。
【００２５】
また、上記グリースにおけるステアリン酸の含有量は、グリース全体量に対し１５〜３０質量％であることが好ましく、グリース全体量に対し２０〜２５質量％であることが特に好ましい。上記（４）などの構成とし、ステアリン酸（増ちょう剤）の含有量をこの範囲とすることで、特に長い軸受寿命を実現できる。
【００２６】
本発明におけるグリースの混和ちょう度は、ＮＬＧＩちょう度番号で２〜３が好ましい。この範囲とすることで、転がり軸受に封入する際において適したちょう度となる。
【００２７】
本発明の食品機械用転がり軸受の一形態として、上記グリースを封入した転がり軸受が挙げられる。本発明の食品機械用転がり軸受の一例を図１に示す。図１はグリースが封入されている転がり軸受（深溝玉軸受）の断面図である。転がり軸受１は、外周面に内輪転走面２ａを有する内輪２と内周面に外輪転走面３ａを有する外輪３とが同心に配置され、内輪転走面２ａと外輪転走面３ａとの間に複数個の転動体４が配置される。保持器５が、この複数個の転動体４を保持している。シール部材６が外輪などに固定されており、少なくとも転動体４の周囲に上記のグリース７が封入されている。
【００２８】
本発明の食品機械用潤滑剤である固形潤滑剤は、ヤシ油を含む基油とステアリン酸を含む増ちょう剤とから構成される上記グリースを潤滑成分として含み固形化された潤滑剤であり、軸受回転時に該基油が滲み出て潤滑性を付与させるものである。
【００２９】
本発明における固形潤滑剤の例としては、上記グリースに、超高分子量ポリオレフィンを混合し、樹脂の分子間に潤滑成分として上記グリースを保持させて徐々に基油を滲み出させる物性を持たせたものが挙げられる。この固形潤滑剤は、所定量の上記グリースと、所定量の超高分子量ポリオレフィン粉末とを均一に混合し、所定形状の型や軸受に直接に封入し、超高分子量ポリオレフィン粉末のゲル化点以上の温度に加熱し、その後冷却して固形化することで得られる。なお、上記ゲル化点以上で、かつ、該グリースの滴点以下（例えば１５０〜２００℃程度）に加熱することが好ましい。本発明では、グリースの基油としてヤシ油を用いているので、他の植物油などを用いる場合と比較して、固形潤滑剤形成時の高温においても分解などによる劣化を抑制できる。
【００３０】
上記の超高分子量ポリオレフィン粉末としては、ポリエチレン、ポリプロピレン、ポリブテンもしくはこれらの共重合体からなる粉末またはそれぞれ単独の粉末を配合した混合粉末が挙げられる。ここで、各粉末の、粘度法により測定される平均分子量は、１×１０６〜５×１０６ であることが好ましい。このような分子量の範囲にあるポリオレフィンは、剛性と保油性において低分子量のポリオレフィンより優れるからである。
【００３１】
グリースと超高分子量ポリオレフィン粉末との好ましい配合割合としては、グリースが７０〜９０質量％、超高分子量ポリオレフィン粉末が３０〜１０質量％であることが好ましい。
【００３２】
本発明の食品機械用転がり軸受の一形態として、上記固形潤滑剤を封入した転がり軸受が挙げられる。本発明の食品機械用転がり軸受の他の例を図２および図３に示す。図２は固形潤滑剤をスポットパック状に封入する転がり軸受の断面図を、図３は固形潤滑剤をフルパック状に封入する転がり軸受の断面図をそれぞれ示す。図２と図３の形態の転がり軸受１１は、図１の場合と同様に、内輪１２、外輪１３、転動体１４、および保持器１５を備えており、転動体１４の周囲に上記の固形潤滑剤１７を封入することで得られる。
【００３３】
固形潤滑剤１７の封入方法の一例として、以下の方法が挙げられる。所定量の上記グリースと、所定量の超高分子量ポリオレフィン粉末を均一に混合した後、９０〜１２０℃に加熱することで半固形状態とする。次いで、該状態を維持したまま、転がり軸受１１内に封入する。その封入の方法は、図２（ａ）および図２（ｂ）に示されるように、内輪１２と外輪１３の間で二枚の帯板からなる保持器１５がリベット１６によって重ねて固定されている部分に、いわゆるスポットパック状に封入するものや、図３（ａ）および図３（ｂ）に示されるように、内輪１２と外輪１３の間全体に、いわゆるフルパック状に充填するものが挙げられる。このように封入された状態で、軸受全体を超高分子量ポリオレフィン粉末のゲル化点以上、かつ、グリースの滴点以下の温度に加熱し、その後冷却して固形化することにより、上記半固体状物が固形化して固形潤滑剤となり、固形潤滑剤が封入された転がり軸受１１が得られる。
【００３４】
本発明の食品機械用転がり軸受は、その種類について制限はなく、各図に示した深溝玉軸受の他、アンギュラ玉軸受、円筒ころ軸受、針状ころ軸受、円すいころ軸受などとしてもよい。また、シール部材を有する形態と、シール部材を有しない形態とのいずれであってもよい。
【実施例】
【００３５】
本発明を実施例および比較例により具体的に説明するが、本発明はこれらの例によって何ら限定されるものではない。なお、以下の記載、表１および図４における油の「飽和脂肪酸含有率」は、該油に含まれる飽和脂肪酸の量を、該油全体に対する質量％で表したものである。
【００３６】
実施例１
ヤシ油（飽和脂肪酸含有率 ９１．３質量％、オーバーシーズ社製）と、ステアリン酸（和光純薬社製）とを表１に示す割合で配合し、ステアリン酸が溶解する温度で加熱攪拌した。次いで、ステアリン酸が完全溶解した後、予め水冷したアルミ製バットに流し込み、流水で冷却した。そしてグリース状に固まったその組成物を３本ロールミルにかけて実施例１のグリースを得た。なお、ＮＬＧＩちょう度番号は２であった。
【００３７】
実施例２
ヤシ油（飽和脂肪酸含有率 ９１．３質量％、オーバーシーズ社製）と、ステアリン酸（和光純薬社製）とを表１に示す割合で配合し、ステアリン酸が溶解する温度で加熱攪拌した。次いで、ステアリン酸が完全溶解した後、予め水冷したアルミ製バットに流し込み、流水で冷却した。そしてグリース状に固まったその組成物を３本ロールミルにかけて実施例２のグリースを得た。なお、ＮＬＧＩちょう度番号は２であった。
【００３８】
比較例１
パーム油（飽和脂肪酸含有率 ５０．６質量％、イエナ商事社製）と、ステアリン酸（和光純薬社製）とを表１に示す割合で配合し、ステアリン酸が溶解する温度で加熱攪拌した。次いで、ステアリン酸が完全溶解した後、予め水冷したアルミ製バットに流し込み、流水で冷却した。そしてグリース状に固まったその組成物を３本ロールミルにかけて比較例１のグリースを得た。なお、ＮＬＧＩちょう度番号は２であった。
【００３９】
比較例２
菜種油（飽和脂肪酸含有率６．８質量％、日清オイリオ社製）と、ステアリン酸カルシウム（堺化学社製）とを表１に示す割合で配合し、ステアリン酸カルシウムが溶解する温度で加熱攪拌した。次いで、ステアリン酸カルシウムが完全溶解した後、予め水冷したアルミ製バットに流し込み、流水で冷却した。そしてグリース状に固まったその組成物を３本ロールミルにかけて比較例２のグリースを得た。なお、ＮＬＧＩちょう度番号は２であった。
【００４０】
比較例３
とうもろこし油（飽和脂肪酸含有率１３．８質量％、味の素社製）と、ステアリン酸カルシウム（堺化学社製）とを表１に示す割合で配合し、ステアリン酸カルシウムが溶解する温度で加熱攪拌した。次いで、ステアリン酸カルシウムが完全溶解した後、予め水冷したアルミ製バットに流し込み、流水で冷却した。そしてグリース状に固まったその組成物を３本ロールミルにかけて比較例３のグリースを得た。なお、ＮＬＧＩちょう度番号は２であった。
【００４１】
比較例４
パーム油（飽和脂肪酸含有率５０．６質量％、イエナ商事社製）と、ステアリン酸カルシウム（堺化学社製）とを表１に示す割合で配合し、ステアリン酸カルシウムが溶解する温度で加熱攪拌した。次いで、ステアリン酸カルシウムが完全溶解した後、予め水冷したアルミ製バットに流し込み、流水で冷却した。そしてグリース状に固まったその組成物を３本ロールミルにかけて比較例４のグリースを得た。なお、ＮＬＧＩちょう度番号は２であった。
【００４２】
比較例５
ヤシ油（飽和脂肪酸含有率９１．３質量％、オーバーシーズ社製）と、ステアリン酸カルシウム（堺化学社製）とを表１に示す割合で配合し、ステアリン酸カルシウムが溶解する温度で加熱攪拌した。次いで、ステアリン酸カルシウムが完全溶解した後、予め水冷したアルミ製バットに流し込み、流水で冷却した。そしてグリース状に固まったその組成物を３本ロールミルにかけて比較例５のグリースを得た。なお、ＮＬＧＩちょう度番号は２であった。
【００４３】
比較例６
ヤシ油（飽和脂肪酸含有率９１．３質量％、オーバーシーズ社製）と、カルシウム強化剤であるクエン酸カルシウム（和光純薬社製）と、ステアリン酸カルシウム（堺化学社製）とを表１に示す割合で配合し、クエン酸カルシウムとステアリン酸カルシウムが溶解する温度で加熱攪拌した。次いで、クエン酸カルシウムとステアリン酸カルシウムが完全溶解した後、予め水冷したアルミ製バットに流し込み、流水で冷却した。そしてグリース状に固まったその組成物を３本ロールミルにかけて比較例６のグリースを得た。なお、ＮＬＧＩちょう度番号は２であった。
【００４４】
比較例７
ヤシ油（飽和脂肪酸含有率９１．３質量％、オーバーシーズ社製）と、ステアリン酸亜鉛（和光純薬社製）と、ステアリン酸カルシウム（堺化学社製）とを表１に示す割合で配合し、ステアリン酸亜鉛とステアリン酸カルシウムが溶解する温度で加熱攪拌した。次いて、ステアリン酸亜鉛とステアリン酸カルシウムが完全溶解した後、予め水冷したアルミ製バットに流し込み、流水で冷却した。そしてグリース状に固まったその組成物を３本ロールミルにかけて比較例７のグリースを得た。なお、ＮＬＧＩちょう度番号は２であった。
【００４５】
以上の各グリースを表１に纏めて記載した。得られた各グリースを転がり軸受に封入して以下に示す軸受寿命試験を行なった。結果を表１に併記する。
【００４６】
＜軸受寿命試験＞
各グリースを転がり軸受（６２０４）に封入し、アキシャル荷重６７Ｎとラジアル荷重６７Ｎの下で、軸受温度１５０℃、５０００ｒｐｍの回転速度で回転させ、焼き付きに至るまでの時間（軸受寿命、ｈ）を測定した。
【００４７】
【表１】
2018177921.tif 000003
【００４８】
表１に示すように、実施例１および２は、ヤシ油を基油とし、飽和脂肪酸炭化水素であるステアリン酸を増ちょう剤とすることで、耐熱性が向上し、軸受に封入した際の耐久寿命が高まった。
【００４９】
一方、比較例５では、ステアリン酸カルシウムを増ちょう剤としたので、耐久寿命が各実施例よりも短くなった。また、ステアリン酸カルシウムを増ちょう剤としつつ、比較例６に示すようにカルシウム強化剤を更に添加する場合や、比較例７に示すようにステアリン酸亜鉛を更に添加する場合のいずれも、耐久寿命が各実施例よりも短くなった。その他、基油としてヤシ油以外を用いた比較例１〜４では、耐久寿命が各実施例よりも著しく短くなった。
【００５０】
次に、比較例２〜５のグリースについて以下の熱分析試験を行い、熱安定性を評価した。結果を図４に示す。
【００５１】
＜熱分析試験＞
試験は、各グリースの所定量に対して酸素雰囲気下で２段階加熱を行ない、植物油の重量減少が０．１質量％に達した温度を重量減少開始温度と定義し、これを測定した。試験条件は、１段階目が、室温〜４００℃までを昇温速度１０℃／ｍｉｎ、達した後の保持時間１０〜２０分間とし、２段階目が、４００〜６００℃までを昇温速度１０℃／ｍｉｎ、達した後の保持時間３０〜４０分間とした。
【００５２】
図４に示すように、飽和脂肪酸の含有量が５０．６質量％以上の植物油の重量減少開始温度は２３５．５℃以上と分解温度が高いことが分かる。一方、飽和脂肪酸の含有量がこれよりも低い場合は、２２０℃以下程度と低くなる。このことから、飽和脂肪酸の含有量が多い植物油を基油とするほど熱安定性が向上する傾向があることが分かる。
【００５３】
また、表１に示すように、実際に軸受に封入した際の評価に関しては、飽和脂肪酸の含有量が少ない範囲（３０質量％未満）では、大きな差は見られないものの（比較例２と３）、飽和脂肪酸の含有量が５０．６質量％のパーム油と、飽和脂肪酸の含有量が９１．３質量％のヤシ油とを比較すると、ヤシ油を基油とした方が大幅に耐久寿命が長くなることが分かる（比較例４と５など）。
【産業上の利用可能性】
【００５４】
本発明の食品機械用潤滑剤は、人体に対する安全性が高く、耐熱性に優れ、転がり軸受などの長寿命を実現し得るため、広範囲の食品機械において利用でき、特に食品機械用転がり軸受の潤滑剤として好適に利用できる。
【符号の説明】
【００５５】
１、１１  転がり軸受
２、１２  内輪
３、１３  外輪
４、１４  転動体
５、１５  保持器
６  シール部材
７  グリース
１６  リベット
１７  固形潤滑剤
【図１】
2018177921.tif 000004
【図２】
2018177921.tif 000005
【図３】
2018177921.tif 000006
【図４】
2018177921.tif 000007